(57)【要約】【課題】製造性を向上できる光学装置用筐体を提供する。【解決手段】光学装置用筐体９の主筐体１３に係合部２３を一体に設ける。光学装置用筐体９の蓋体１４に蓋体係合部４１を一体に設ける。蓋体係合部４１を主筐体１３の係合部２３に係合することで、主筐体１３の開口部１２の一部を閉塞して蓋体１４を主筐体１３に係止する。主筐体１３と蓋体１４の取り付け作業での螺子止め工程を低減し、製造性を向上できる。係合部２３を主筐体１３に一体に設け、蓋体係合部４１を蓋体１４に一体に設けることで、部品点数を削減して製造性をより向上できる。蓋体１４に設けた押さえ部３３で、光学要素をがたつくことなく保持できる。【選択図】        図１
2004271700.tif 000002
【特許請求の範囲】
【請求項１】
光学要素を収容する光学要素収容部、この光学要素収容部を外部に連通する開口部および係合手段を備えた筐体本体と、
この筐体本体の係合手段と係合する蓋体係合手段を備え、この蓋体係合手段の前記係合手段への係合により前記筐体本体の開口部の少なくとも一部を閉塞して前記筐体本体に係止される蓋体とを具備したことを特徴とした光学装置用筐体。
【請求項２】
蓋体係合手段は、蓋体と一体に設けられていることを特徴とした請求項１記載の光学装置用筐体。
【請求項３】
蓋体および蓋体係合手段は、可撓性を有する部材で設けられ、
前記蓋体係合手段は、筐体本体の係合手段への係合方向に向けて付勢された状態でこの係合手段に係合することを特徴とした請求項２記載の光学装置用筐体。
【請求項４】
係合手段は、筐体本体と一体に設けられていることを特徴とした請求項１ないし３いずれか一記載の光学装置用筐体。
【請求項５】
請求項１ないし４いずれか一記載の光学装置用筐体と、
この光学装置用筐体の光学要素収容部に収納され筐体本体および蓋体の間に保持された光学要素と、
前記筐体本体および前記蓋体の少なくともいずれか一方に設けられ、前記光学要素の少なくとも一部を前記筐体本体および前記蓋体のいずれか他方に向けて弾性的に押さえる押さえ部とを具備したことを特徴とした光学装置。
【請求項６】
請求項５記載の光学装置と、
この光学装置の光学要素の一部に光を照射する光源と、
この光源から前記光学装置に照射された光を投射する投射光学系と、
前記光学装置の外側を覆う外装体とを具備したことを特徴としたプロジェクタ。
【発明の詳細な説明】
【０００１】
【発明の属する技術分野】
本発明は、光学要素を収容する光学要素収容部を備えた筐体本体を有する光学装置用筐体、この光学装置用筐体を有する光学装置およびこの光学装置を備えたプロジェクタに関する。
【０００２】
【従来の技術】
従来、例えば、プロジェクタなどの光学機器の装置の設定ボタンなどが設けられる外装体である外装カバーの内側には、光学系の光学要素などの各種機構が組み込まれて保持される光学装置用筐体としての内側筐体が設けられている。この内側筐体は、例えば、光源から照射され光学系の光路外に漏れた照明光が外装カバーを透過して外側から光影として見えないように漏光を遮断、すなわち遮光したり、光学系に塵埃などの汚れが付着しないように光学系を外界から密閉したりするものである。
【０００３】
そして、この種の内側筐体としては、上側に開口部を有する平面視略コ字状、あるいは略Ｌ字状の筐体本体としての主筐体と、この主筐体の開口を覆うようにこの主筐体に取り付けられる蓋体とを備えている。さらに、蓋体は、この蓋体側から主筐体側に向かって螺子を挿入し、この螺子を開口部の周囲である主筐体の上端縁部に設けられた螺子止め部に螺子止めすることにより、主筐体に取り付けられている（例えば、特許文献１参照。）。
【０００４】
【特許文献１】
特開２０００−３１２０８５号公報（第３−５頁、図１）
【０００５】
【発明が解決しようとする課題】
しかしながら、上述の光学装置用筐体では、蓋体を主筐体に螺子止めする工程が必要となる。また、蓋体は、開口部の全周に亘って略均等な力で主筐体に対して取り付けられることが好ましいため、螺子止め部を主筐体の開口部の上端縁部に複数箇所設ける必要があり、部品点数および螺子止め作業による工数が増加する。
【０００６】
この結果、上述の光学装置用筐体では、製造性を向上することが容易でない。
【０００７】
本発明はこのような点に鑑みなされたもので、製造性を向上できる光学装置用筐体、これを有する光学装置およびこれを備えたプロジェクタを提供することを目的とする。
【０００８】
【課題を解決するための手段】
請求項１記載の光学装置用筐体は、光学要素を収容する光学要素収容部、この光学要素収容部を外部に連通する開口部および係合手段を備えた筐体本体と、この筐体本体の係合手段と係合する蓋体係合手段を備え、この蓋体係合手段の前記係合手段への係合により前記筐体本体の開口部の少なくとも一部を閉塞して前記筐体本体に係止される蓋体とを具備したものである。
【０００９】
そして、蓋体に設けた蓋体係合手段を筐体本体の係合手段に係合させることで、光学要素収容部を覆い、筐体本体の開口部の少なくとも一部を閉塞して蓋体が筐体本体に係止される。そこで、筐体本体と蓋体との取り付け作業での例えば螺子止めなどの工程が低減され、製造性が向上される。
【００１０】
請求項２記載の光学装置用筐体は、請求項１記載の光学装置用筐体において、蓋体係合手段は、蓋体と一体に設けられているものである。
【００１１】
そして、蓋体係合手段を蓋体と一体に設けることで、部品点数をより削減して製造性がより向上される。
【００１２】
請求項３記載の光学装置用筐体は、請求項２記載の光学装置用筐体において、蓋体および蓋体係合手段は、可撓性を有する部材で設けられ、前記蓋体係合手段は、筐体本体の係合手段への係合方向に向けて付勢された状態でこの係合手段に係合するものである。
【００１３】
そして、蓋体および蓋体係合手段を可撓性を有する部材で一体に設け、蓋体係合手段が筐体本体の係合手段への係合方向に向けて付勢された状態で係合手段に係合することにより、係合手段と蓋体係合手段との係合にがたつきが生じることを抑制し、蓋体が筐体本体に対して、より確実に係止され、密閉性が向上する。
【００１４】
請求項４記載の光学装置用筐体は、請求項１ないし３いずれか一記載の光学装置用筐体において、係合手段は、筐体本体と一体に設けられているものである。
【００１５】
そして、係合手段を筐体本体と一体に設けることにより、部品点数をより削減して製造性がさらに向上される。
【００１６】
請求項５記載の光学装置は、請求項１ないし４いずれか一記載の光学装置用筐体と、この光学装置用筐体の光学要素収容部に収納され筐体本体および蓋体の間に保持された光学要素と、前記筐体本体および前記蓋体の少なくともいずれか一方に設けられ、前記光学要素の少なくとも一部を前記筐体本体および前記蓋体のいずれか他方に向けて弾性的に押さえる押さえ部とを具備したものである。
【００１７】
そして、請求項１ないし４いずれか一記載の光学装置用筐体を備えることにより、製造性が向上される。また、筐体本体および蓋体の少なくともいずれか一方に、光学要素の少なくとも一部を筐体本体および蓋体のいずれか他方に向けて弾性的に押さえる押さえ部を設けて、光学要素を光学装置用筐体の筐体本体と蓋体との間に保持することで、光学要素の光学装置用筐体内でのがたつきを防止するとともに、押さえ部の弾性により係合手段と蓋体係合手段との係合がこれら係合手段と蓋体係合手段との係合方向に向けて付勢されるので、これら係合手段と蓋体係合手段とが確実に係合されて筐体本体と蓋体とがより確実に係止され、光学装置用筐体の密閉性が向上する。
【００１８】
請求項６記載のプロジェクタは、請求項５記載の光学装置と、この光学装置の光学要素の一部に光を照射する光源と、この光源から前記光学装置に照射された光を投射する投射光学系と、前記光学装置の外側を覆う外装体とを具備したものである。
【００１９】
そして、請求項５記載の光学装置を備えることにより、製造性が向上されるとともに、密閉性を向上した光学装置用筐体により光源から照射される光の光学装置用筐体からの漏れが容易に抑制される。
【００２０】
【発明の実施の形態】
以下、本発明の第１の実施の形態におけるプロジェクタの構成を図１ないし図８を参照して説明する。
【００２１】
図８において、１はプロジェクタすなわち投写型表示装置としての液晶プロジェクタで、この液晶プロジェクタ１は、光学装置２、この光学装置２に光を照射する光源３、合成光学系４、変調手段である液晶表示素子としての３枚の透過型のＬＣＤパネル５ｒ，５ｇ，５ｂおよび投射光学系６などを備えている。そして、光学装置２と光源３とは、外装体としての横長の外装カバー７により外側を覆われている。この外装カバー７内には、図示しないファン、制御回路、操作部、表示部、電源装置などが配設されている。
【００２２】
そして、光学装置２は、図１、図２および図４に示すように、光学要素８およびこの光学要素８を収容して保持した光学装置用筐体９（以下、筐体９という）を備えている。
【００２３】
そして、光学要素８は、照明光学系を構成し、図４に示すように、光源３から照射された光の照度のむらを低減するレンズアレイＬＡ１，ＬＡ２、これらレンズアレイＬＡ１，ＬＡ２間に配置された熱線カットフィルタＣＦ、光源３から照射された光の偏向方向を揃える偏向ビームスプリッタ（Ｐｏｌａｒｉｚｅｄ  Ｂｅａｍ  Ｓｐｌｉｔｔｅｒ：ＰＢＳ）Ｓ、重畳レンズであるコンデンサレンズＣＬ、ダイクロイック反射ミラーＤＭ１，ＤＭ２、全反射ミラーである反射ミラーＭ１〜Ｍ３、リレーレンズＲＬ１〜ＲＬ３、赤色透過フィルタＦ１、青色透過フィルタＦ２、および、フィールドレンズＦＬ１，ＦＬ２などを有している。
【００２４】
また、筐体９は、図１及び図２などに示すように、側部に矩形状の凹部１１を有する平面視で略コ字状に形成されている。この筐体９は、図１に示すように、開口部１２を有する平面視略Ｌ字状の筐体本体としての図４などに示す主筐体１３と、この主筐体１３の上部に着脱可能に取り付けられ開口部１２の一部を閉塞する図３に示す蓋体１４と、この蓋体１４とともに開口部１２に取り付けられて主筐体１３の開口部１２を閉塞する図１および図２に示す副蓋体１５とを有している。
【００２５】
主筐体１３は、例えばポリエステルなどの若干の可撓性を有する、すなわち若干弾性変形可能な合成樹脂で射出成形されている。この主筐体１３は、図５および図７に示す底面部１６と、この底面部１６の周縁から上側に板状に突出した側面部１７とを有する箱状に形成され、この側面部１７の上端縁部全体が開口部１２となっているとともに、内側に、光学要素８を収容する光学要素収容部２０が設けられている。また、この主筐体１３の側面部１７の内側には、光学要素収容部２０に臨み、光学要素８を所定の位置に保持する保持部である溝部２０ａが上下方向に沿って多数設けられている。そして、この光学要素収容部２０は、図４に示すように、導光部２１および分光部２２を備えている。
【００２６】
そして、導光部２１は、光源３に対向した位置に設けられている。そして、この導光部２１内には、光源３から照射された光の進行方向に沿って、第１のレンズアレイＬＡ１、熱線カットフィルタＣＦ、第２のレンズアレイＬＡ２、および偏向ビームスプリッタＳが互いに離間されて順次光軸上に配設されている。さらに、導光部２１と分光部２２との間の位置には、コンデンサレンズＣＬが配設されている。
【００２７】
一方、分光部２２は、導光部２１に隣接し、かつ合成光学系４の周囲に平面視略コ字状に配設されている。そして、この分光部２２内には、ダイクロイック反射ミラーＤＭ１，ＤＭ２、全反射ミラーである反射ミラーＭ１〜Ｍ３、リレーレンズＲＬ１〜ＲＬ３、赤色透過フィルタＦ１、青色透過フィルタＦ２、および、フィールドレンズＦＬ１，ＦＬ２などが配設されている。
【００２８】
ここで、光源３から照射され導光部２１にて導かれた光は、第１及び第２のダイクロイック反射ミラーＤＭ１，ＤＭ２によりＲ（赤）、Ｇ（緑）、Ｂ（青）の各色光にそれぞれ色分離される。すなわち、青（Ｂ）の色光は、青光を反射する第１のダイクロイック反射ミラーＤＭ１で反射され、青色透過フィルタＦ１、反射ミラーＭ３、およびフィールドレンズＦＬ１を経由して青色用のＬＣＤパネル５ｂに入射する。また、Ｇ（緑）の色光は、第１のダイクロイック反射ミラーＤＭ１を透過し、緑光を反射する第２のダイクロイック反射ミラーＤＭ２で反射され、フィールドレンズＦＬ２を経由して、緑色用のＬＣＤパネル５ｇに入射する。さらに、Ｒ（赤）の色光は、第１及び第２のダイクロイック反射ミラーＤＭ１，ＤＭ２を透過し、リレーレンズＲＬ１、反射ミラーＭ１、リレーレンズＲＬ２、赤色透過フィルタＦ１、反射ミラーＭ２、リレーレンズＲＬ３を経由して、赤色用のＬＣＤパネル５ｒに入射する。
【００２９】
また、分光部２２の周囲に位置した主筐体１３の側面部１７には、係合手段としての係合部２３が複数箇所に設けられている。これら係合部２３は、図１、図２および図４に示すように、分光部２２の周囲に略均等に、例えば４箇所に設けられている。そして、これら係合部２３は、例えば図５に示すように、上下方向に沿って設けられた例えば一対の係合凹部２４と、これら係合凹部２４のそれぞれから側方に突出して設けられた突出部２５とを有している。
【００３０】
そして、係合凹部２４は、平面視細長矩形状に側面部１７の厚さ方向に矩形凹状に窪んで設けられている。また、これら係合凹部２４は、主筐体１３の上端から下端まで全長に亘って設けられている。
【００３１】
また、突出部２５は、側面部１７に対して略垂直な外方向に突出し、上下方向に沿って細長矩形状に係合凹部２４内にそれぞれ設けられている。また、突出部２５は、主筐体１３の側面部１７と一体に設けられ、主筐体１３の上端部から、この主筐体１３の上下方向の中間部近傍まで連続して形成されている。さらに、突出部２５は、下端部近傍に向かって突出寸法である厚さ寸法が大きくなるように設けられている。すなわち、突出部２５には、上端部から下端部近傍に亘って下側が上側よりも突出するように傾斜した上側傾斜面２６が形成されている。そして、突出部２５の下端部である上側傾斜面２６の下端部は、突出部２５の下方に向けて厚さ寸法が小さくなるように設けられている。したがって、突出部２５の下端部には、主筐体１３の側面部１７側に向けて傾斜したテーパ面である下側傾斜面２７が形成されている。このため、突出部２５は、図６に示すように、上側傾斜面２６と下側傾斜面２７とで側面視で山状になっている。
【００３２】
一方、蓋体１４は、図３などに示すように、例えばポリカーボネイト（ｐｏｌｙｃａｒｂｏｎａｔｅ）などの若干の可撓性を有する、すなわち若干弾性変形可能な合成樹脂で平面視略コ字状に射出成形されている。この蓋体１４は、主筐体１３の分光部２２の上方に位置した開口部１２を閉塞している。また、この蓋体１４は、筐体９の上面となる上面部３１と、この上面部３１の周縁から下方に向かって若干突出した蓋体側面部３２を有している。
【００３３】
そして、上面部３１には、図１ないし図３に示すように、主筐体１３の溝部２０ａなどに保持された各光学要素８に対応した位置に、それぞれ押さえ部３３が一体に設けられている。これら押さえ部３３は、本実施の形態では、例えば各透過フィルタＦ１，Ｆ２およびリレーレンズＲＬ１，ＲＬ２の上方に位置して設けられている。また、これら押さえ部３３は、切欠部３４と、この切欠部３４内に上面部３１に沿って舌片状に突設された突出押さえ部３５とを有している。そして、切欠部３４は、それぞれ透過フィルタＦ１，Ｆ２およびリレーレンズＲＬ１に交差するように設けられたものと、リレーレンズＲＬ２に沿って設けられたものとを備えている。さらに、各突出押さえ部３５は、図１ないし図３および図７に示すように、各切欠部３４の下方に窪むようにして形成され、上面が上面部３１の下側の面と略面一になるように設けられている。そして、各突出押さえ部３５の先端部には、下方に向けて突出した円柱状の先端突出部３６がそれぞれ一体に設けられている。
【００３４】
さらに、蓋体側面部３２には、図３などに示すように、主筐体１３の係合部２３の突出部２５に係合する蓋体係合手段としての複数の蓋体係合部４１が一体に設けられている。そして、これら蓋体係合部４１は、図１および図２に示すように、主筐体１３の係合部２３に対応した位置、すなわち４箇所にそれぞれ設けられている。また、これら蓋体係合部４１は、蓋体１４の上端部から下方に向けて突出し上下方向に沿って設けられた細長棒状の一対の係合突部４２を備えている。これら係合突部４２は、主筐体１３の係合部２３の係合凹部２４の間隔に対応した間隔に互いに離間され、各係合凹部２４に嵌合可能な細長矩形状に設けられている。
【００３５】
また、係合突部４２は、主筐体１３の係合部２３の突出部２５の下端部に位置するように突出している。そして、係合突部４２の先端は、これら係合突部４２に略直交する方向に沿って設けられた細長棒状の連結部４３により連結されて一体となっている。すなわち、蓋体係合部４１は、平面視略Ｕ字状に形成されている。
【００３６】
また、係合突部４２の蓋体１４の内側に向かう面は、蓋体１４を主筐体１３に取り付けた際に主筐体１３の係合部２３の係合凹部２４の面に弾性的に押圧され、すなわち、仮に係合凹部２４がない場合にはこの係合凹部２４の位置よりも若干内側に位置するように設けられている。
【００３７】
さらに、副蓋体１５は、図１および図２に示すように、平面視略矩形状に形成されており、主筐体１３の導光部２１の上方の開口部１２を閉塞する。したがって、この副蓋体１５は、蓋体１４とともに主筐体１３の開口部１２全体を閉塞する。また、副蓋体１５は、主筐体１３の導光部２１と分光部２２との間の位置の上方で、蓋体１４の上面部３１に嵌合される。さらに、副蓋体１５は、主筐体１３に複数の螺子４５で螺子止めされて係止される。
【００３８】
また、光源３は、図示しないハロゲンランプなどの白熱電球あるいはメタルハライドランプなどの放電ランプを備えている。この放電ランプの周囲には、この放電ランプから照射された光を反射する放物面状の鏡面を備えた図示しないリフレクタが配設されている。この結果、光源３からは、放電ランプから照射された光がリフレクタで反射されて光学装置２の導光部２１に入射する。
【００３９】
さらに、合成光学系４は、平面視略矩形状に形成されており、光学装置２の筐体９の凹部１１に嵌合して分光部２２にて周囲を略コ字状に囲まれている。また、合成光学系４の分光部２２に対向していない部分は、投射光学系６に対向している。そして、合成光学系４には、直方体状のダイクロイッククロスプリズムＤＸＰが配設されている。そして、このダイクロイッククロスプリズムＤＸＰは、ＬＣＤパネル５ｒ，５ｇ，５ｂを介して所定の映像信号に応じて変調された３色の色光を合成光に合成し、投射光学系６に入射させる。
【００４０】
また、投射光学系６は、略円筒状の鏡筒を有し、この鏡筒が筐体９の側方に向けて突出するように配置されている。さらに、この投射光学系６の鏡筒は、先端部が外装カバー７の外部に突出している。また、この投射光学系６は、内部に図示しないレンズを複数備え、光源３から照射され光学装置２内を通過した光を図示しないスクリーン上などに投射する。
【００４１】
さらに、外装カバー７は、意匠などを考慮して、例えば合成樹脂などで矩形箱状に形成されている。
【００４２】
次に、上記第１の実施の形態の光学装置の組み立て方法を説明する。
【００４３】
まず、主筐体１３内に、各種光学要素８を所定の位置に配設する。
【００４４】
次いで、蓋体１４を主筐体１３の上方から開口部１２を閉塞するように取り付ける。このとき、蓋体１４を主筐体１３の分光部２２の上方から下方向に向けて押圧すると、蓋体１４の蓋体係合部４１が、主筐体１３の突出部２５の上側傾斜面２６に沿って下方向に移動するとともに蓋体１４の外方に徐々に弾性変形する。
【００４５】
そして、蓋体係合部４１の連結部４３が突出部２５の下側傾斜面２７の位置に来ると、この下側傾斜面２７に沿って蓋体係合部４１の弾性変形が復元し、連結部４３が突出部２５の下端部に位置するとともに、蓋体係合部４１の係合突部４２が主筐体１３の係合部２３の係合凹部２４内に係合方向、すなわち筐体９の内側方向に付勢された状態で嵌合することで、蓋体係合部４１が突出部２５に係合する。
【００４６】
この結果、蓋体１４が主筐体１３の分光部２２の上方に位置した開口部１２を覆って主筐体１３に係止される。
【００４７】
また、この状態で、各押さえ部３３の突出押さえ部３５が各透過フィルタＦ１，Ｆ２およびリレーレンズＲＬ１，ＲＬ２の上端を主筐体１３に向けて、すなわち下方に向けて弾性的に押圧する。
【００４８】
このとき、各突出押さえ部３５の先端突出部３６が各透過フィルタＦ１，Ｆ２およびリレーレンズＲＬ１，ＲＬ２の上端に当接し、蓋体１４を形成する合成樹脂の弾性により上方向に弾性変形して、透過フィルタＦ１，Ｆ２およびリレーレンズＲＬ１，ＲＬ２を所定の位置に固定するとともに、蓋体係合部４１の係合突部４２と主筐体１３の係合部２３との係合を確実にする方向、すなわち係合方向に作用する力を生じさせる。
【００４９】
この後、副蓋体１５を主筐体１３の導光部２１の上方から開口部１２を閉塞するように取り付け、螺子４５を締め付けて副蓋体１５を主筐体１３に係止させ、光学装置２を完成する。
【００５０】
次に、上記第１の実施の形態の動作を説明する。
【００５１】
電源部から供給された電源により光源３が駆動されると、この光源３から光が光学装置２の導光部２１に向けて照射される。
【００５２】
この光源３から照射された光は、導光部２１の第１のレンズアレイＬＡ１、熱線カットフィルタＣＦおよび第２のレンズアレイＬＡ２を透過し、偏向ビームスプリッタＳにより偏向方向を揃えられた後、コンデンサレンズＣＬを透過して光学装置２の分光部２２に入射する。
【００５３】
そして、コンデンサレンズＣＬを透過した光のＲ（赤）成分は、ダイクロイック反射ミラーＤＭ１，ＤＭ２を順次透過した後、リレーレンズＲＬ１を透過し、反射ミラーＭ１にて反射されてリレーレンズＲＬ２を透過し、赤色透過フィルタＦ１を透過して反射ミラーＭ２により反射されてリレーレンズＲＬ３に入射する。
【００５４】
また、コンデンサレンズＣＬを透過した光のＧ（緑）成分は、ダイクロイック反射ミラーＤＭ１を透過した後、ダイクロイック反射ミラーＤＭ２に反射されてフィールドレンズＦＬ２に入射する。
【００５５】
さらに、コンデンサレンズＣＬを透過した光のＢ（青）成分は、ダイクロイック反射ミラーＤＭ１にて反射され、青色透過フィルタＦＬ２を透過した後、反射ミラーＭ３に反射されてフィールドレンズＦＬ１に入射する。
【００５６】
そして、これら分光された各色光は、それぞれＬＣＤパネル５ｒ，５ｇ，５ｂ入射し、所定の映像信号に応じて変調され、合成光学系４のダイクロイッククロスプリズムＤＸＰにて色合成されて合成光となり、投射光学系６へと反射される。そして、この投射光学系６により、カラーの画像がスクリーン上に照射される。
【００５７】
上述したように、上記第１の実施の形態によれば、蓋体１４に設けた蓋体係合部４１を主筐体１３の係合部２３に係合させることで主筐体１３の分光部２２の上方に位置した開口部１２を閉塞して蓋体１４が主筐体１３に係止されることにより、主筐体１３と蓋体１３との取り付け作業において、螺子止めなどの工程が低減されるので、製造が容易になり、製造性を向上できる。
【００５８】
また、蓋体係合部４１を蓋体１４と一体に設け、かつ係合部２３を主筐体１３と一体に設けることにより、これら蓋体係合部４１および係合部２３をそれぞれ別体とする場合と比較して部品点数をより削減して、製造性をより向上できる。
【００５９】
さらに、蓋体１４および蓋体係合部４１を若干の可撓性を有する部材で一体に設け、蓋体係合部４１が主筐体１３の係合部２３への係合方向に向けて付勢された状態で係合部２３に係合することにより、係合部２３と蓋体係合部４１との係合にがたつきが生じることを抑制し、蓋体１４が主筐体１３に対して、より確実に係止され、筐体９の密閉性を向上できる。
【００６０】
そして、蓋体１４に、光学要素８の各透過フィルタＦ１，Ｆ２およびリレーフィルタＲＬ１，ＲＬ２を主筐体１３に向けて弾性的に押さえる押さえ部３３を設けて、各透過フィルタＦ１，Ｆ２およびリレーフィルタＲＬ１，ＲＬ２を主筐体１３と蓋体１４との間、すなわち筐体９内に保持できる。この結果、蓋体１４を主筐体１３に係止させた際に、押さえ部３３が弾性変形して透過フィルタＦ１，Ｆ２およびリレーフィルタＲＬ１，ＲＬ２を筐体９内で確実に押さえ、これら透過フィルタＦ１，Ｆ２およびリレーフィルタＲＬ１，ＲＬ２の筐体９内でのがたつきを防止できる。同時に、押さえ部３３の弾性により係合部２３と蓋体係合部４１との係合がこれら係合部２３と蓋体係合部４１との係合方向に向けて付勢されるので、係合部２３と蓋体係合部４１とが確実に係合されて主筐体１３と蓋体１４とがより確実に係止され、筐体９の密閉性をより向上できる。
【００６１】
さらに、密閉性を向上した筐体９により光源３から照射される光の筐体９からの漏れを容易に抑制することができる。
【００６２】
そして、係合部２３の突出部２５に上側傾斜面２６および下側傾斜面２７を設けたことにより、蓋体係合部４１を係合部２３に係合させる際に、蓋体係合部４１の連結部４３がポリカーボネイトの若干の可撓性により円滑に僅かに弾性変形および復元するので、蓋体１４をテンションに抗して押し込むのみで主筐体１３に容易に取り付けできるとともに、係合部２３および蓋体係合部４１の損傷を抑制できる。
【００６３】
また、導光部２１内に位置した光学要素８、すなわちレンズアレイＬＡ１、熱線カットフィルタＣＦ、レンズアレイＬＡ２および偏向ビームスプリッタＳの位置精度は、投射像の良し悪しに影響が大きく、正確な位置決めが必要になるが、副蓋体１５を螺子４５にて主筐体１３の導光部２１の上方に位置した開口部１２に取り付けることにより、レンズアレイＬＡ１、熱線カットフィルタＣＦ、レンズアレイＬＡ２および偏向ビームスプリッタＳを正確に位置決めして取り付けでき、投射像の質を向上できる。
【００６４】
次に、第２の実施の形態を図９および図１０を参照して説明する。なお、上記第１の実施の形態と同様の構成および作用については、同一符号を付してその説明を省略する。
【００６５】
この第２の実施の形態では、主筐体１３の各係合部２３が、主筐体１３の側面部１７に凹状に設けられた略矩形状に形成されている。これら係合部２３は、上下方向に略直交する方向、すなわち横方向に沿って長手状に形成されている。
【００６６】
また、蓋体１４の各蓋体係合部４１は、係合部２３の横幅と略等しい幅寸法を有する突出平板部５１を備えている。この突出平板部５１は、蓋体側面部３２の上端部から、上下方向に沿って下方向に向けて直線状に突出し、蓋体側面部３２の下端部よりも下側に下端部が位置している。さらに、この突出平板部５１の下端部には、係合部２３に係合される係合爪部５２が一体に設けられている。この係合爪部５２は、蓋体１４の内方に向けて突出し、かつ、係合爪部５２の先端部は、上側が下側よりも突出している。このため、係合爪部５２の先端部には、傾斜面５３が形成されている。
【００６７】
また、主筐体１３の上端部の内縁には、段差状の段差部５４が切り欠き形成されている。この段差部５４は、主筐体１３の上端部の内縁全体に亘って形成されている。このため、主筐体１３の上端部の外縁には、リブ状の嵌合突出部５５が突出して形成されている。一方、蓋体１４の下端部の外縁には、段差状の蓋体段差部５６が切り欠き形成されている。このため、蓋体１４の下端部の内縁には、リブ状の蓋体嵌合突出部５７が突出して形成されている。そして、これら蓋体段差部５６および蓋体嵌合突出部５７は、主筐体１３の開口部１２に蓋体１４を取り付けた際に、主筐体１３の嵌合突出部５５および段差部５４にそれぞれ互い違いに嵌合するように組み合わされている。
【００６８】
そして、光学装置２を組み立てる際には、蓋体１４を主筐体１３の上方から取り付けることで、突出平板部５１の係合爪部５２が主筐体１３の側面部１７に当接して突出平板部５１が蓋体１４の外方に若干弾性変形し、蓋体１４をさらに下方に押圧することで、係合爪部５２が係合部２３に嵌合して、主筐体１３に蓋体１４が係止される。
【００６９】
同時に、蓋体１４の蓋体段差部５６および蓋体嵌合突出部５７が、主筐体１３の嵌合突出部５５および段差部５４に嵌合し、主筐体１３と蓋体１４とのずれを防止する。
【００７０】
このように、上記第２の実施の形態でも、上記第１の実施の形態と同様の作用効果を奏することができる。
【００７１】
また、蓋体係合部４１は、比較的幅寸法が大きい、すなわち太い突出平板部５１を備えているため、繰り返し弾性変形させても損傷しにくく、耐久性を向上できる。
【００７２】
さらに、蓋体１４の蓋体段差部５６および蓋体嵌合突出部５７を、主筐体１３の嵌合突出部５５および段差部５４に互い違いになるように嵌合させることで、蓋体１４と主筐体１３とのずれを防止し、筐体９の密閉性をさらに向上できる。
【００７３】
次に、第３の実施の形態を図１１および図１２を参照して説明する。なお、上記第１の実施の形態および第２の実施の形態と同様の構成および作用については、同一符号を付してその説明を省略する。
【００７４】
この第３の実施の形態では、主筐体１３の各係合部２３が矩形リブ状に形成されている。これら係合部２３は、主筐体１３の側面部１７から主筐体１３の外方に向けて突出し、横方向に長手状に形成されている。
【００７５】
また、蓋体１４の各蓋体係合部４１は、係合部２３の横幅と略等しい間隔に離間された一対の係合突出棒部６１を備えている。これら係合突出棒部６１は、蓋体側面部３２の上端部から、上下方向に沿って下方向に向けて直線状に突出し、蓋体側面部３２の下端部よりも下側に下端部が位置している。さらに、これら係合突出棒部６１の下端部には、係合部２３の両端部に係合される係合突出爪部６２が一体に設けられている。これら係合突出爪部６２は、一方の係合突出棒部６１から他方の係合突出棒部６１に向けてすなわち互いに接近する方向に略三角形状に突出している。したがって、これら係合突出爪部６２の間隔は、係合部２３の両端間の寸法よりも若干小さい。
【００７６】
そして、光学装置２を組み立てる際には、蓋体１４を主筐体１３の上方から取り付けることで、係合突出棒部６１の係合突出爪部６２が係合部２３に当接して係合突出棒部６１が互いに離れる方向に若干弾性変形し、蓋体１４をさらに下方に押圧することで、係合突出爪部６２が係合部２３の下端部に嵌合して、主筐体１３に蓋体１４が係止される。
【００７７】
同時に、蓋体１４の蓋体段差部５６および蓋体嵌合突出部５７が、主筐体１３の嵌合突出部５５および段差部５４に嵌合し、主筐体１３と蓋体１４とのずれを防止する。
【００７８】
このように、上記第３の実施の形態でも、上記第１の実施の形態および第２の実施の形態と同様の作用効果を奏することができる。
【００７９】
なお、上記各実施の形態において、係合部２３および蓋体係合部４１の形状、形成する位置、形成する箇所数などは、他の様々な形態が可能である。
【００８０】
また、押さえ部３３は、蓋体１４に設けるほか、主筐体１３に設けることもでき、あるいは、蓋体１４と主筐体１３との両者に設けることもできる。
【００８１】
さらに、係合部２３および蓋体係合部４１は、それぞれ主筐体１３および蓋体１４と別体としてもよい。
【００８２】
また、主筐体１３および蓋体１４の形成する部材は、若干の可撓性を有すれば、他の様々な部材を使用することができる。
【００８３】
そして、光学装置２内の光学要素８は、所望の特性に応じて設計して所定の位置に配設すればよく、上記構成に限定されるものではない。また、３枚のＬＣＤパネル５ｒ，５ｇ，５ｂを用いる構成の他、１枚のＬＣＤパネルを用いてもよく、あるいは、反射型液晶パネルなど、適宜の表示デバイスを用いることもできる。
【００８４】
さらに、ＬＣＤパネル５ｒ，５ｇ，５ｂを異なるサイズのものなどに変更した場合には、レンズアレイＬＡ１、熱線カットフィルタＣＦ、レンズアレイＬＡ２、偏向ビームスプリッタＳおよびコンデンサレンズＣＬを、所望の特性が得られるように取り替えることで容易に対応することができる。
【００８５】
【発明の効果】
請求項１記載の光学装置用筐体によれば、蓋体に設けた蓋体係合手段を筐体本体の係合手段に係合させることで、光学要素収容部を覆い、筐体本体の開口部の少なくとも一部を閉塞して蓋体を筐体本体に係止できる。そこで、筐体本体と蓋体との取り付け作業での例えば螺子止めなどの工程を低減でき、製造性を向上できる。
【００８６】
請求項２記載の光学装置用筐体によれば、請求項１記載の光学装置用筐体の効果に加え、蓋体係合手段を蓋体と一体に設けることで、部品点数をより削減して製造性をより向上できる。
【００８７】
請求項３記載の光学装置用筐体によれば、請求項２記載の光学装置用筐体の効果に加え、蓋体および蓋体係合手段を可撓性を有する部材で一体に設け、蓋体係合手段が筐体本体の係合手段への係合方向に向けて付勢された状態で係合手段に係合することにより、係合手段と蓋体係合手段との係合にがたつきが生じることを抑制し、蓋体が筐体本体に対して、より確実に係止され、密閉性を向上できる。
【００８８】
請求項４記載の光学装置用筐体によれば、請求項１ないし３いずれか一記載の光学装置用筐体の効果に加え、係合手段を筐体本体と一体に設けることにより、部品点数をより削減して製造性をさらに向上できる。
【００８９】
請求項５記載の光学装置によれば、請求項１ないし４いずれか一記載の光学装置用筐体を備えることにより、製造性を向上できる。また、筐体本体および蓋体の少なくともいずれか一方に、光学要素の少なくとも一部を筐体本体および蓋体のいずれか他方に向けて弾性的に押さえる押さえ部を設けて、光学要素を光学装置用筐体の筐体本体と蓋体との間に保持することで、光学要素の光学装置用筐体内でのがたつきを防止するとともに、押さえ部の弾性により係合手段と蓋体係合手段との係合がこれら係合手段と蓋体係合手段との係合方向に向けて付勢されるので、これら係合手段と蓋体係合手段とが確実に係合されて筐体本体と蓋体とがより確実に係止され、光学装置用筐体の密閉性を向上できる。
【００９０】
請求項６記載のプロジェクタによれば、請求項５記載の光学装置を備えることにより、製造性を向上できるとともに、密閉性を向上した光学装置用筐体により光源から照射される光の光学装置用筐体からの漏れを容易に抑制できる。
【図面の簡単な説明】
【図１】本発明の第１の実施の形態のプロジェクタの一部を示す斜視図である。
【図２】同上プロジェクタの一部の図１のＸ矢視図である。
【図３】同上プロジェクタの蓋体を示す斜視図である。
【図４】同上プロジェクタの一部の筐体を取り外した状態を示す斜視図である。
【図５】同上プロジェクタの一部の光学装置用筐体の筐体本体と蓋体との係止状態を拡大して示す斜視図である。
【図６】同上筐体本体と蓋体との係止状態を示す一部の側面図である。
【図７】同上筐体本体と蓋体との係止状態での蓋体による光学要素の押さえ状態を示す一部の断面図である。
【図８】同上プロジェクタの平面を示す説明図である。
【図９】本発明の第２の実施の形態のプロジェクタの光学装置用筐体の一部を示す斜視図である。
【図１０】同上光学装置用筐体の筐体本体と蓋体との係止状態を示す一部の断面図である。
【図１１】本発明の第３の実施の形態のプロジェクタの光学装置用筐体の一部を示す斜視図である。
【図１２】同上光学装置用筐体の筐体本体と蓋体との係止状態を示す一部の斜視図である。
【符号の説明】
１    プロジェクタとしての液晶プロジェクタ
２    光学装置
３    光源
６    投射光学系
７    外装体としての外装カバー
８    光学要素
９    光学装置用筐体
１２    開口部
１３    筐体本体としての主筐体
１４    蓋体
２０    光学要素収容部
２３    係合手段としての係合部
３３    押さえ部
４１    蓋体係合手段としての蓋体係合部
【図１】
2004271700.tif 000003
【図２】
2004271700.tif 000004
【図３】
2004271700.tif 000005
【図４】
2004271700.tif 000006
【図５】
2004271700.tif 000007
【図６】
2004271700.tif 000008
【図７】
2004271700.tif 000009
【図８】
2004271700.tif 000010
【図９】
2004271700.tif 000011
【図１０】
2004271700.tif 000012
【図１１】
2004271700.tif 000013
【図１２】
2004271700.tif 000014